(57)【要約】 【課題】簡易な構造で、作業者毎に嵌着度、密閉度に差が生じない、簡単に操作できる容器などの口部の嵌着構造を提供する。【解決手段】上記課題を解決するために、本発明は、内部中空の筒部の外周面の全周にわたり山及び谷を形成する肉厚のガイドと前記ガイドの全周にわたり環状に突出した凸条を備える口部と、前記筒部の外側に嵌る内部空洞の筒の内周面に山を形成する複数の肉厚のリブと前記筒の端部に肉厚部及び凹部を備えた接続部とからなり、前記接続部を前記口部に嵌め押圧することで、前記接続部のリブが前記口部のガイドに沿って進み、前記口部の凸条が前記接続部の凹部に嵌るとともに前記接続部の肉厚部を係止し、前記口部と前記接続部が嵌着することを特徴とする口部の嵌着構造の構成とした。【選択図】図１
2014034425.tif 000002
【特許請求の範囲】
【請求項１】
内部中空の筒部の外周面の全周にわたり山及び谷を形成する肉厚のガイドと前記ガイドの全周にわたり環状に突出した凸条を備える口部と、
前記筒部の外側に嵌る内部空洞の筒の内周面に山を形成する複数の肉厚のリブと前記筒の端部に肉厚部及び凹部を備えた接続部とからなり、
前記接続部を前記口部に嵌め押圧することで、前記接続部のリブが前記口部のガイドに沿って進み、前記口部の凸条が前記接続部の凹部に嵌るとともに前記接続部の肉厚部を係止し、前記口部と前記接続部が嵌着することを特徴とする口部の嵌着構造。
【請求項２】
前記ガイドが波型で、前記リブが底辺でない２辺が弧状に外側に湾曲した正面視略三角形状で、前記接続部を左右何れの方向に回転させても、前記接続部を前記口部から脱離することを特徴とする請求項１に記載の口部の嵌着構造。
【請求項３】
前記口部の反嵌着側にチューブを連設した容器とし、前記接続部の反嵌着端部が封止されたキャップとした請求項１又は請求項２に記載の口部の嵌着構造を備えることを特徴とする保管容器。
【請求項４】
前記チューブの口部側の外径が、前記キャップの外径より大きいことを特徴とする請求項３に記載の保管容器。
【発明の詳細な説明】
【技術分野】
【０００１】
本発明は、容器などの口部とキャップなどとの接続、嵌着構造に関する。
【背景技術】
【０００２】
容器とキャップの嵌着構造としては、ネジとネジ山による螺着構造が一般的である。しかしながら、螺着作業は煩雑である上、作業者により回転度合いがことなり、作業者毎に密閉度に差が生じる。
【０００３】
他方、特許文献１には、キャップの着脱の簡便性と内容物の密封性の両者を兼備し、更にキャップ装着の際に、使用者に心理的な嵌合安定感を与えることのできるロック機能を具えたキャップと容器との組み合わせであって、
容器の頸部の外周面に、半径方向に一定の厚さを有する複数のカム片を等間隔に凸設し、一方、該容器に嵌着されるキャップは同心状に固定された内筒並びに外筒を具え、該内筒の内周面には、前記カム片と係合可能な突片を設けた容器とキャップとの組み合わせ構造において、
前記カム片は、前記頸部の下方の容器の肩部上面に設けられた平坦部に底辺を有し、比較的緩い右上がりの勾配を以て頂上に至る左傾斜面と、該頂上から該カム片に切り欠かれた係止部の入口に至る右下がりの勾配の右傾斜面とからなる略山形状をなし、前記係止部は前記入口をよぎって垂直方向に設けられた堤防と、前記カム片を前記平坦部に平行に切り欠いて設けられた上壁と、該上壁と前記平坦部とを接続する垂直壁とによって囲繞され、前記堤防の半径方向の厚さは前記カム片の突出厚さよりも小さく、
前記キャップの内筒は、少なくとも下部が垂直方向のスリットによって前記各突片を下端に具えた複数の短冊状部材に分割され、前記外筒の内周面には、前記突片が前記堤防を乗り越える時に前記短冊状部材に生じる外方への変形を弾性限度内に制限するストッパリブが突設されていることを特徴とするキャップと容器との組み合わせ構造とするものである。このような特許文献１の構造では、一定の密閉度を保つことができるが、極めて複雑な構造である。
【先行技術文献】
【特許文献】
【０００４】
【特許文献１】実公平０４−５４１１３号公報
【発明の概要】
【発明が解決しようとする課題】
【０００５】
そこで、本発明は、簡易な構造で、作業者毎に嵌着度、密閉度に差が生じない、簡単に操作できる容器などの口部の嵌着構造を提供することを目的とするものである。
【課題を解決するための手段】
【０００６】
本発明は、上記の課題を解決するために、
（１）
内部中空の筒部の外周面の全周にわたり山及び谷を形成する肉厚のガイドと前記ガイドの全周にわたり環状に突出した凸条を備える口部と、
前記筒部の外側に嵌る内部空洞の筒の内周面に山を形成する複数の肉厚のリブと前記筒の端部に肉厚部及び凹部を備えた接続部とからなり、
前記接続部を前記口部に嵌め押圧することで、前記接続部のリブが前記口部のガイドに沿って進み、前記口部の凸条が前記接続部の凹部に嵌るとともに前記接続部の肉厚部を係止し、前記口部と前記接続部が嵌着することを特徴とする口部の嵌着構造の構成とした。
（２）
前記ガイドが波型で、前記リブが底辺でない２辺が弧状に外側に湾曲した正面視略三角形状で、前記接続部を左右何れの方向に回転させても、前記接続部を前記口部から脱離することを特徴とする（１）に記載の口部の嵌着構造の構成とした。
（３）
前記口部の反嵌着側にチューブを連設した容器とし、前記接続部の反嵌着端部が封止されたキャップとした（１）又は（２）に記載の口部の嵌着構造を備えることを特徴とする保管容器の構成とした。
（４）
前記チューブの口部側の外径が、前記キャップの外径より大きいことを特徴とする（３）に記載の保管容器の構成とした。
【発明の効果】
【０００７】
本発明は、上記構成であるので、作業者毎に嵌着度、密閉度に差を生じない、簡易な構造でかつ作業性のよい口部の嵌着構造を提供することができる。
【０００８】
リブを略三角形状とすることでキャップなどの接続部を左右何れの方向に回転させても接続部を口部から脱離することができるため、作業性が極めてよい。
【０００９】
このような口部の嵌着構造を備える容器であれば、容器毎の密閉性が均一でかつ内容物を飛散させることもなく安全性が高い。
【図面の簡単な説明】
【００１０】
【図１】本発明の一例である口部の嵌合構造を備えた保管容器のキャップをしたときの正面図（左右側面図も正面図と同じ。）である。
【図２】本発明の一例である保管容器の平面図である。
【図３】本発明の一例である保管容器の底面図である
【図４】本発明の一例である口部の嵌合構造を備えた保管容器のキャップを外したときの正面図である。
【図５】本発明の一例である口部の嵌合構造を備えた保管容器のキャップを外したときの（Ａ）左側面図、（Ｂ）右側面図、（Ｃ）背面図である。
【図６】容器の平面図である。
【図７】キャップの底面図である。
【図８】（Ａ）は保管容器の図１Ａ−Ａ線の断面図、（Ｂ）は図８（Ａ）の波線円Ａの拡大図である。
【図９】（Ａ）はキャップの図１Ａ−Ａ線の断面図、（Ｂ）は図９（Ａ）の波線円Ａの拡大図、（Ｃ）は波線円Ｂの拡大図である。
【発明を実施するための形態】
【００１１】
以下、本願発明について、図面を参照しながら詳細に説明する。なお、本発明は実施例に限定されるものではない。
【実施例１】
【００１２】
図１、図４、図８等に示すように、本発明の一例である保管容器１は、口部２ｄを備えた容器２と、口部２ｄに嵌着するキャップ３とからなり、口部の嵌着構造１ａを備える。その他の口部の嵌着構造を備える実施形態として、２本の管の接続などが例示できる。
【００１３】
容器２は、口部２ｄと、口部２ｄに連設される有底のチューブ２ａとからなる。チューブ２ａの側面には、滑り止め加工２ｂが長手方向に複数間隔を開け施されている。滑り留め加工２ｂとしては、表面にザラツキを持たせるなどの方法が例示できる。チューブ２ａの形状は棒状の他に、球形、寸胴、三角錐など内容物、作業性に応じて、適宜変形すればよい。
【００１４】
チューブ２ａの口部２ｄ側端部は、口部２ｄ、さらにはキャップ３の嵌着側端部より肉厚に形成した膨張部２ｃとなる。膨張部を設けることで、キャップを引き抜いて外すことが困難で、回転によって脱離することを学習することができる。
【００１５】
口部２ｄは、図４〜６、図８に示すように、内部中空２ｉの筒部２ｍと、筒部２ｍの外周面の全周にわたり山２ｇ及び谷２ｈを形成する肉厚のガイド２ｆと、ガイド２ｆの全周にわたり環状に突出した凸条２ｅとからなり、凸条２ｅとチューブ２ａの膨張部２ｃとの間に溝部２ｋを形成する。ガイド２ｆは、山２ｇと谷２ｈが交互に位置する波型である。
【００１６】
キャップ３は、内部の接続部３ｅと筒３ｒと端部３ｃからなる。筒３ｒは、口部２ｄの外周に嵌る。筒３ｒの外周面には、図１、図２に示すように間隔を開け、肉厚の突条３ａがチューブ２ａ方向に向け形成されている。
【００１７】
端部３ｃは、反嵌着側を封止する。図２に示す端部３ｃの外面にあるテーパ溝３ｂは成型時の型抜き溝である。
【００１８】
キャップ３の内側には、図７、図９に示すように、接続部３ｅを備える。接続部３ｅは、筒部２ｍの外側に嵌る内部空洞３ｐの筒３ｒの内周面に下向きの山３ｇを形成する複数の肉厚のリブ３ｆと、筒３ｒの容器２側端部の肉厚部３ｍと、肉厚部３ｍの上に位置する凹部３ｎとからなる。リブ３ｆは、図９に示すように端部３ｃと接触する底辺でない２辺が弧状に外側に湾曲した正面視略三角形状である。
【００１９】
さらに、キャップ３の端部３ｃ内側には、環状突起３ｈが形成されている。環状突起３ｈの外周と筒３ｒとの間に溝３ｉを形成し、口部２ｄの筒部２ｍが嵌る。環状突起３ｈの外側には、口部２ｄの筒部２ｍに当接し、押圧する押さえ３ｋが断面山型に隆起する。
【００２０】
口部２ｄとキャップ３の嵌着は、図８等に示すように、即ち口部の嵌着構造１ａは、口部２ｄと接続部３ｅとかならなり、接続部３ｅを口部２ｄに嵌め押圧（図８下向きの白抜き矢印）することで、接続部３ｅのリブ３ｆが口部２ｄのガイド２ｆに沿って進み、口部２ｄの凸条２ｅが接続部３ｅの凹部３ｎに嵌るとともに接続部３ｅの肉厚部３ｍを凸条２ｅと膨張部２ｃの間の溝部２ｋに係止し、口部２ｄと接続部３ｅが嵌着する。
【００２１】
当該嵌着構造であれば、螺合のように何度もキャップ３を回転させて容器２に螺着させることを要しないため、極めて簡単に嵌着でき、作業者、作業毎に容器２とキャップ３の嵌着度にバラツキがなく一定に嵌着させることができる。
【００２２】
キャップ３を容器２から外すときは、図８に示すように、キャップ３を左右何れの方向に回転（波線両矢印）させることで、ガイド２ｆに沿ってリブ３ｆが移動し、凸条２ｅからキャップ３が外れるとともにキャップが持ち上がり、容器２からキャップ３が脱離する。キャップ３を容器２から引き抜く動作をしないため、容器２の内容物が飛散することがない。
【符号の説明】
【００２３】
１      保管容器
１ａ    口部の嵌着構造
２      容器
２ａ    チューブ
２ｂ    滑り止め加工
２ｃ    膨張部
２ｄ    口部
２ｅ    凸条
２ｆ    ガイド
２ｇ    山
２ｈ    谷
２ｉ    中空
２ｋ    溝部
２ｍ    筒部
３      キャップ
３ａ    突条
３ｂ    テーパ溝
３ｃ    端部
３ｄ    隆起    
３ｅ    接続部
３ｆ    リブ
３ｇ    山
３ｈ    環状突起
３ｉ    溝
３ｋ    押さえ
３ｍ    肉厚部
３ｎ    凹部
３ｐ    空洞
３ｒ    筒
【図１】
2014034425.tif 000003
【図２】
2014034425.tif 000004
【図３】
2014034425.tif 000005
【図４】
2014034425.tif 000006
【図５】
2014034425.tif 000007
【図６】
2014034425.tif 000008
【図７】
2014034425.tif 000009
【図８】
2014034425.tif 000010
【図９】
2014034425.tif 000011